(57)【要約】【課題】モバイルIP又はシンプルIPとSIPの登録に要する時間を短縮することを図る。【解決手段】モバイルノード１０からのモバイルIP登録要求メッセージを受信し、当該モバイルノードの認証を行い、該認証に係る認証情報を作成するAAA１４と、該認証情報をモバイルノード１０に送信するFA１２と、モバイルノード１０からの認証情報付きSIP登録要求メッセージを受信し、該受信した認証情報を確認し、当該モバイルノード宛てのSIP登録完了メッセージを送信するS-CSCF１７とを備える。【選択図】図１
2008172460.tif 000002
【特許請求の範囲】
【請求項１】
モバイルIPとSIPを併用する通信制御システムにおいて、
移動通信端末からのモバイルIP登録要求メッセージを受信し、当該移動通信端末の認証を行う認証手段と、
前記認証に係る認証情報を作成する認証情報作成手段と、
前記認証情報を前記移動通信端末に送信する認証情報送信手段と、
移動通信端末からの認証情報付きSIP登録要求メッセージを受信し、該受信した認証情報を確認し、当該移動通信端末宛てのSIP登録完了メッセージを送信する認証情報確認手段と、
を備えたことを特徴とする通信制御システム。
【請求項２】
モバイルIPとSIPを併用する移動通信端末において、
自移動通信端末の認証情報を記憶する認証情報記憶手段と、
モバイルIP登録過程において、認証情報付きモバイルIP登録応答メッセージを受信すると、その認証情報付きモバイルIP登録応答メッセージから認証情報を取り出し、取り出した認証情報を前記認証情報記憶部に記憶させるモバイルIP処理手段と、
モバイルIP登録の完了後にSIP登録処理を開始し、SIP登録要求メッセージの送信過程において、前記認証情報記憶手段から認証情報を読み出し、読み出した認証情報をSIP登録要求メッセージに付加し、認証情報付きのSIP登録要求メッセージを送信するSIP処理手段と、
を備えたことを特徴とする移動通信端末。
【請求項３】
モバイルIPとSIPを併用する通信制御システムにおいて、
移動通信端末からのSIP登録要求メッセージ付きのモバイルIP登録要求メッセージを受信し、SIP登録要求メッセージを取り出して記録するSIP登録要求メッセージ記録手段と、
前記移動通信端末からのモバイルIP登録要求メッセージを受信し、当該移動通信端末の認証を行う認証手段と、
前記認証に係る認証情報を作成する認証情報作成手段と、
前記SIP登録要求メッセージ記録手段からSIP登録要求メッセージを取り出し、該SIP登録要求メッセージに前記認証情報を付加して送信するSIP登録要求メッセージ送信手段と、
前記SIP登録要求メッセージ送信手段からの認証情報付きSIP登録要求メッセージを受信し、該受信した認証情報を確認し、当該移動通信端末宛てのSIP登録完了メッセージを送信する認証情報確認手段と、
を備えたことを特徴とする通信制御システム。
【請求項４】
モバイルIPとSIPを併用する移動通信端末において、
モバイルIP登録処理を開始すると、モバイルIP登録を行う旨の通知を出力するモバイルIP処理手段と、
その通知を受け取ると、SIP登録要求メッセージを出力するSIP処理手段と、を備え、
前記モバイルIP処理手段は、そのSIP登録要求メッセージを受け取ると、モバイルIP登録要求メッセージに付加し、SIP登録要求メッセージ付きのモバイルIP登録要求メッセージを送信する、
ことを特徴とする移動通信端末。
【請求項５】
シンプルIPとSIPを併用する通信制御システムにおいて、
移動通信端末のシンプルIP登録過程における当該移動通信端末に係るPPPコネクション確立過程において、当該移動通信端末の認証を行う認証手段と、
前記認証に係る認証情報を作成する認証情報作成手段と、
前記認証情報を前記移動通信端末に送信する認証情報送信手段と、
移動通信端末からの認証情報付きSIP登録要求メッセージを受信し、該受信した認証情報を確認し、当該移動通信端末宛てのSIP登録完了メッセージを送信する認証情報確認手段と、
を備えたことを特徴とする通信制御システム。
【請求項６】
シンプルIPとSIPを併用する移動通信端末において、
自移動通信端末の認証情報を記憶する認証情報記憶手段と、
PPPコネクションの確立処理を行うPPP処理手段と、
シンプルIP登録過程におけるPPPコネクション確立過程において、認証情報付き応答メッセージを受信すると、その認証情報付き応答メッセージから認証情報を取り出し、取り出した認証情報を前記認証情報記憶部に記憶させるシンプルIP処理手段と、
シンプルIP登録の完了後にSIP登録処理を開始し、SIP登録要求メッセージの送信過程において、前記認証情報記憶手段から認証情報を読み出し、読み出した認証情報をSIP登録要求メッセージに付加し、認証情報付きのSIP登録要求メッセージを送信するSIP処理手段と、
を備えたことを特徴とする移動通信端末。
【請求項７】
前記SIP登録完了メッセージに当該移動通信端末に係る通信暗号化用の鍵を付加する鍵付加手段を備えたことを特徴とする請求項１又は請求項３又は請求項５に記載の通信制御システム。
【請求項８】
前記SIP処理手段は、無線通信部を介して鍵付きSIP登録完了メッセージを受信すると、その鍵付きSIP登録完了メッセージから鍵を取り出し、取り出した鍵を保持し、その保持した鍵を以降の通信の暗号化に用いることを特徴とする請求項２又は請求項４又は請求項６に記載の移動通信端末。
【請求項９】
モバイルIPとSIPを併用する通信制御処理を行うためのコンピュータプログラムであって、
移動通信端末からのモバイルIP登録要求メッセージに応じて行われた当該移動通信端末の認証に係る認証情報を当該移動通信端末に送信する認証情報送信機能をコンピュータに実現させることを特徴とするコンピュータプログラム。
【請求項１０】
モバイルIPとSIPを併用する通信制御処理を行うためのコンピュータプログラムであって、
移動通信端末からの認証情報付きSIP登録要求メッセージを受信し、該受信した認証情報を確認し、当該移動通信端末宛てのSIP登録完了メッセージを送信する認証情報確認機能をコンピュータに実現させることを特徴とするコンピュータプログラム。
【請求項１１】
モバイルIPとSIPを併用する通信制御処理を行うためのコンピュータプログラムであって、
移動通信端末からのSIP登録要求メッセージ付きのモバイルIP登録要求メッセージを受信し、SIP登録要求メッセージを取り出して記録するSIP登録要求メッセージ記録機能と、
前記移動通信端末からのモバイルIP登録要求メッセージに応じて行われた前記移動通信端末の認証に係る認証情報を、前記記録されたSIP登録要求メッセージに付加して送信するSIP登録要求メッセージ送信機能と、
をコンピュータに実現させることを特徴とするコンピュータプログラム。
【請求項１２】
シンプルIPとSIPを併用する通信制御処理を行うためのコンピュータプログラムであって、
移動通信端末のシンプルIP登録過程における当該移動通信端末に係るPPPコネクション確立過程において行われた当該移動通信端末の認証に係る認証情報を当該移動通信端末に送信する認証情報送信機能をコンピュータに実現させることを特徴とするコンピュータプログラム。
【請求項１３】
シンプルIPとSIPを併用する通信制御処理を行うためのコンピュータプログラムであって、
移動通信端末からの認証情報付きSIP登録要求メッセージを受信し、該受信した認証情報を確認し、当該移動通信端末宛てのSIP登録完了メッセージを送信する認証情報確認機能をコンピュータに実現させることを特徴とするコンピュータプログラム。
【発明の詳細な説明】
【技術分野】
【０００１】
本発明は、通信制御システム、移動通信端末およびコンピュータプログラムに関する。
【背景技術】
【０００２】
近年、マルチメディアサービスを実現させる方式として、IMS（IP Multimedia Subsystem）若しくはMMD（Multi Media Domain）と呼ばれる方式（以下、「IMS/MMD」と称する）が検討されている。IMS/MMDでは、モバイルIP（Mobile Internet Protocol）及びSIP（Session Initiation  Protocol）を用いることが一手法として挙げられている。モバイルIPは、モバイルノード（Mobile Node；MN）が異なる「Visited Network」間を移動した際に、連続して通信を可能とするハンドオーバ技術を提供する。SIPは、不要な通信を遮断するために、通信のセッションを管理し、許可されたセッションのみを通信可能とする通信制御技術を提供する。
【０００３】
IMS/MMDにおいて、モバイルノードが「Visited Network」に初期接続またはハンドオーバすると、まず、その「Visited Network」でモバイルIPとSIPの登録が行われる。モバイルノードは、そのモバイルIP及びSIPの登録完了後に、通信を開始することが可能になる。図１０および図１１は、IMS/MMDにおける従来のモバイルIP及びSIPの登録構成を説明するための構成図およびシーケンスチャートである。
【０００４】
図１０および図１１を参照して、従来のモバイルIP及びSIPの登録方法を説明する。図１０において、モバイルノード１００は、移動元の「Visited Network（２００）」から移動先の「Visited Network（１０１）」へハンドオーバする。「Visited Network（１０１）」は、FA（Foreign Agent）１０２及びP-CSCF（Proxy Call Session Control Function）１０６を有する。モバイルノード１００の「Home Network（１０３）」は、AAA（Authentication Authorization Accounting）１０４、HA（Home Agent）１０５、S-CSCF（Serving Call Session Control Function）１０７及びHSS（Home Subscriber Server）１０８を有する。「Visited Network（１０１）」、「Visited Network（２００）」及び「Home Network（１０３）」は、ルータ２０１を介して接続される。なお、P-CSCF１０６は「Home Network（１０３）」に設けられる場合もある。
【０００５】
モバイルノード１００は、「Visited Network（１０１）」にハンドオーバすると、まず、「Visited Network（１０１）」のFA１０２を介して、「Home Network（１０３）」のHA１０５にモバイルIPの登録を行う。このモバイルIPの登録手順が、図１１のステップＳ１１〜Ｓ１６に示されている。まず、モバイルノード１００は、モバイルIPの登録要求メッセージをFA１０２に送信する（Ｓ１１）。FA１０２は、そのモバイルIP登録要求メッセージを受信すると、RADIUS（Remote Authentication Dial-In User Service）アクセス要求メッセージをAAA１０４に送信する（Ｓ１２）。AAA１０４は、そのRADIUSアクセス要求メッセージを受信すると、当該モバイルノードの認証を行い、認証成功ならばRADIUSアクセス受諾メッセージをFA１０２に返信する（Ｓ１３）。FA１０２は、そのRADIUSアクセス受諾メッセージを受信すると、モバイルIP登録要求メッセージをHA１０５に送信する（Ｓ１４）。HA１０５は、そのモバイルIP登録要求メッセージを受信すると、当該登録処理を行い、モバイルIP登録応答メッセージをFA１０２に返信する（Ｓ１５）。FA１０２は、そのモバイルIP登録応答メッセージを受信すると、当該応答メッセージをモバイルノード１００に送信する（Ｓ１６）。これにより、HA１０５に対して、モバイルノード１００に係るモバイルIPの登録が完了する。モバイルIPの登録が完了することで、図１０に示される「Reverse Tunneling」と呼ばれるパケット転送動作が設定される。これ以降、モバイルノード１００から送信されるパケット及びモバイルノード１００宛てのパケットは、その設定された「Reverse Tunneling」によって転送される。具体的に説明すれば、モバイルノード１００から送信されたパケットは、一旦、「Home Network（１０３）」のHA１０５に転送されてから、宛先のノードへ送信される。同様に、モバイルノード１００宛てのパケットは、一旦、「Home Network（１０３）」のHA１０５に転送されてから、モバイルノード１００に送信される。
【０００６】
次いで、モバイルノード１００は、「Visited Network（１０１）」のP-CSCF１０６を介して、「Home Network（１０３）」のS-CSCF１０７にSIPの登録を行う。このSIPの登録手順が、図１１のステップＳ２１〜Ｓ３６に示されている。まず、モバイルノード１００は、P-CSCF１０６経由のS-CSCF１０７宛てのSIPの登録要求メッセージをFA１０２を介して送信する（Ｓ２１）。そのSIP登録要求メッセージは、モバイルIPの「Reverse Tunneling」によって、HA１０５経由でP-CSCF１０６に転送される（Ｓ２２）。P-CSCF１０６は、その転送されてきたSIP登録要求メッセージをS-CSCF１０７に送信する（Ｓ２３）。S-CSCF１０７は、そのSIP登録要求メッセージを受信すると、当該要求メッセージの送信元モバイルノードについての端末情報をHSS１０８に要求する（Ｓ２４）。HSS１０８は、その要求に応じて、当該モバイルノードの端末情報をS-CSCF１０７に返答する（Ｓ２５）。S-CSCF１０７は、その端末情報を受け取ると、当該モバイルノードに係るチャレンジレスポンス認証用のメッセージとSIP登録後の通信暗号化に用いる鍵を作成し、モバイルノード１００宛てのSIP登録未認可メッセージに付加してP-CSCF１０６に送信する（Ｓ２６）。P-CSCF１０６は、そのSIP登録未認可メッセージを受信すると、モバイルノード１００宛てに送信する（Ｓ２７）。そのSIP登録未認可メッセージは、「Reverse Tunneling」によって、HA１０５経由でFA１０２に転送される（Ｓ２７）。FA１０２は、その転送されてきたSIP登録未認可メッセージをモバイルノード１００に送信する（Ｓ２８）。
【０００７】
次いで、モバイルノード１００は、そのSIP登録未認可メッセージを受信すると、SIP登録未認可メッセージに付加されているチャレンジレスポンス用のメッセージを自己の端末情報として保持している秘密鍵を用いて暗号化し、暗号化されたSIP登録要求メッセージをP-CSCF１０６経由のS-CSCF１０７宛てにFA１０２を介して送信する（Ｓ２９）。その暗号化SIP登録要求メッセージは、「Reverse Tunneling」によってHA１０５経由でP-CSCF１０６に転送され（Ｓ３０）、P-CSCF１０６からS-CSCF１０７に送信される（Ｓ３１）。S-CSCF１０７は、その暗号化SIP登録要求メッセージを受信すると、当該モバイルノードに係るチャレンジレスポンス認証を行い、認証成功ならば、当該モバイルノードに係る端末登録をHSS１０８に要求する（Ｓ３２）。HSS１０８は、その要求に応じて、端末登録を行い、端末登録応答メッセージをS-CSCF１０７に返信する（Ｓ３３）。S-CSCF１０７は、その端末登録応答メッセージを受け取ると、モバイルノード１００宛てのSIP登録完了メッセージをP-CSCF１０６に送信する（Ｓ３４）。P-CSCF１０６は、そのSIP登録完了メッセージを受信すると、モバイルノード１００宛てに送信する（Ｓ３５）。そのSIP登録完了メッセージは、「Reverse Tunneling」によってHA１０５経由でFA１０２に転送され（Ｓ３５）、FA１０２からモバイルノード１００に送信される（Ｓ３６）。これにより、S-CSCF１０７に対して、モバイルノード１００に係るSIP登録が完了する。これ以降、モバイルノード１００は、「Visited Network」で通信を行うことができる。
【非特許文献１】Gonzalo Camarillo, Miguel A.Garcia-Martin、「実践入門ネットワーク IMS(IP Multimedia Subsystem)標準テキスト NGNのコア技術（翻訳者：澤田拓也, 鹿島拓也）」、株式会社リックテレコム、２００６年７月１６日、第１版第１刷
【発明の開示】
【発明が解決しようとする課題】
【０００８】
しかし、上述した従来のモバイルIP及びSIPの登録方法では、登録時間の短縮が難しいという問題がある。その理由としてSIP登録時には、「Reverse Tunneling」による「Home Network」を経由する通信が多数発生するために、通信遅延が増大し得る。図１１の手順では、ステップＳ２２，Ｓ２７，Ｓ３０及びＳ３５の合計４回発生している。また、モバイルIP登録時およびSIP登録時においてそれぞれにモバイルノードの認証を行っているために、処理時間が多くなっている。同様の問題は、モバイルIPに限らず一般のIP（「シンプルIP（Simple IP）」と称される）においても生じる。
【０００９】
本発明は、このような事情を考慮してなされたもので、その目的は、モバイルIP又はシンプルIPとSIPの登録に要する時間を短縮することのできる通信制御システムおよび移動通信端末を提供することにある。
【００１０】
また、本発明の他の目的は、本発明の通信制御システムをコンピュータを利用して実現するためのコンピュータプログラムを提供することにある。
【課題を解決するための手段】
【００１１】
上記の課題を解決するために、本発明に係る通信制御システムは、モバイルIPとSIPを併用する通信制御システムにおいて、移動通信端末からのモバイルIP登録要求メッセージを受信し、当該移動通信端末の認証を行う認証手段と、前記認証に係る認証情報を作成する認証情報作成手段と、前記認証情報を前記移動通信端末に送信する認証情報送信手段と、移動通信端末からの認証情報付きSIP登録要求メッセージを受信し、該受信した認証情報を確認し、当該移動通信端末宛てのSIP登録完了メッセージを送信する認証情報確認手段とを備えたことを特徴とする。
【００１２】
本発明に係る移動通信端末は、モバイルIPとSIPを併用する移動通信端末において、自移動通信端末の認証情報を記憶する認証情報記憶手段と、モバイルIP登録過程において、認証情報付きモバイルIP登録応答メッセージを受信すると、その認証情報付きモバイルIP登録応答メッセージから認証情報を取り出し、取り出した認証情報を前記認証情報記憶部に記憶させるモバイルIP処理手段と、モバイルIP登録の完了後にSIP登録処理を開始し、SIP登録要求メッセージの送信過程において、前記認証情報記憶手段から認証情報を読み出し、読み出した認証情報をSIP登録要求メッセージに付加し、認証情報付きのSIP登録要求メッセージを送信するSIP処理手段とを備えたことを特徴とする。
【００１３】
本発明に係る通信制御システムは、モバイルIPとSIPを併用する通信制御システムにおいて、移動通信端末からのSIP登録要求メッセージ付きのモバイルIP登録要求メッセージを受信し、SIP登録要求メッセージを取り出して記録するSIP登録要求メッセージ記録手段と、前記移動通信端末からのモバイルIP登録要求メッセージを受信し、当該移動通信端末の認証を行う認証手段と、前記認証に係る認証情報を作成する認証情報作成手段と、前記SIP登録要求メッセージ記録手段からSIP登録要求メッセージを取り出し、該SIP登録要求メッセージに前記認証情報を付加して送信するSIP登録要求メッセージ送信手段と、前記SIP登録要求メッセージ送信手段からの認証情報付きSIP登録要求メッセージを受信し、該受信した認証情報を確認し、当該移動通信端末宛てのSIP登録完了メッセージを送信する認証情報確認手段とを備えたことを特徴とする。
【００１４】
本発明に係る移動通信端末は、モバイルIPとSIPを併用する移動通信端末において、モバイルIP登録処理を開始すると、モバイルIP登録を行う旨の通知を出力するモバイルIP処理手段と、その通知を受け取ると、SIP登録要求メッセージを出力するSIP処理手段と、を備え、前記モバイルIP処理手段は、そのSIP登録要求メッセージを受け取ると、モバイルIP登録要求メッセージに付加し、SIP登録要求メッセージ付きのモバイルIP登録要求メッセージを送信することを特徴とする。
【００１５】
本発明に係る通信制御システムは、シンプルIPとSIPを併用する通信制御システムにおいて、移動通信端末のシンプルIP登録過程における当該移動通信端末に係るPPPコネクション確立過程において、当該移動通信端末の認証を行う認証手段と、前記認証に係る認証情報を作成する認証情報作成手段と、前記認証情報を前記移動通信端末に送信する認証情報送信手段と、移動通信端末からの認証情報付きSIP登録要求メッセージを受信し、該受信した認証情報を確認し、当該移動通信端末宛てのSIP登録完了メッセージを送信する認証情報確認手段とを備えたことを特徴とする。
【００１６】
本発明に係る移動通信端末は、シンプルIPとSIPを併用する移動通信端末において、自移動通信端末の認証情報を記憶する認証情報記憶手段と、PPPコネクションの確立処理を行うPPP処理手段と、シンプルIP登録過程におけるPPPコネクション確立過程において、認証情報付き応答メッセージを受信すると、その認証情報付き応答メッセージから認証情報を取り出し、取り出した認証情報を前記認証情報記憶部に記憶させるシンプルIP処理手段と、シンプルIP登録の完了後にSIP登録処理を開始し、SIP登録要求メッセージの送信過程において、前記認証情報記憶手段から認証情報を読み出し、読み出した認証情報をSIP登録要求メッセージに付加し、認証情報付きのSIP登録要求メッセージを送信するSIP処理手段とを備えたことを特徴とする。
【００１７】
本発明に係る通信制御システムにおいては、前記SIP登録完了メッセージに当該移動通信端末に係る通信暗号化用の鍵を付加する鍵付加手段を備えたことを特徴とする。
【００１８】
本発明に係る移動通信端末においては、前記SIP処理手段は、無線通信部を介して鍵付きSIP登録完了メッセージを受信すると、その鍵付きSIP登録完了メッセージから鍵を取り出し、取り出した鍵を保持し、その保持した鍵を以降の通信の暗号化に用いることを特徴とする。
【００１９】
本発明に係るコンピュータプログラムは、モバイルIPとSIPを併用する通信制御処理を行うためのコンピュータプログラムであって、移動通信端末からのモバイルIP登録要求メッセージに応じて行われた当該移動通信端末の認証に係る認証情報を当該移動通信端末に送信する認証情報送信機能をコンピュータに実現させることを特徴とする。
【００２０】
本発明に係るコンピュータプログラムは、モバイルIPとSIPを併用する通信制御処理を行うためのコンピュータプログラムであって、移動通信端末からの認証情報付きSIP登録要求メッセージを受信し、該受信した認証情報を確認し、当該移動通信端末宛てのSIP登録完了メッセージを送信する認証情報確認機能をコンピュータに実現させることを特徴とする。
【００２１】
本発明に係るコンピュータプログラムは、モバイルIPとSIPを併用する通信制御処理を行うためのコンピュータプログラムであって、移動通信端末からのSIP登録要求メッセージ付きのモバイルIP登録要求メッセージを受信し、SIP登録要求メッセージを取り出して記録するSIP登録要求メッセージ記録機能と、前記移動通信端末からのモバイルIP登録要求メッセージに応じて行われた前記移動通信端末の認証に係る認証情報を、前記記録されたSIP登録要求メッセージに付加して送信するSIP登録要求メッセージ送信機能とをコンピュータに実現させることを特徴とする。
【００２２】
本発明に係るコンピュータプログラムは、シンプルIPとSIPを併用する通信制御処理を行うためのコンピュータプログラムであって、移動通信端末のシンプルIP登録過程における当該移動通信端末に係るPPPコネクション確立過程において行われた当該移動通信端末の認証に係る認証情報を当該移動通信端末に送信する認証情報送信機能をコンピュータに実現させることを特徴とする。
【００２３】
本発明に係るコンピュータプログラムは、シンプルIPとSIPを併用する通信制御処理を行うためのコンピュータプログラムであって、移動通信端末からの認証情報付きSIP登録要求メッセージを受信し、該受信した認証情報を確認し、当該移動通信端末宛てのSIP登録完了メッセージを送信する認証情報確認機能をコンピュータに実現させることを特徴とする。
【００２４】
これにより、前述の通信制御システムがコンピュータを利用して実現できるようになる。
【発明の効果】
【００２５】
本発明によれば、モバイルIP又はシンプルIPとSIPの登録に要する時間を短縮することができる。これにより、例えばモバイルノードが「Visited Network」への初期接続時に通信を開始するまでの時間や、ハンドオーバ時における通信の遮断時間を短縮することが可能になり、通信サービス品質の向上に寄与することができる。
【発明を実施するための最良の形態】
【００２６】
以下、図面を参照し、本発明の実施形態について説明する。
【００２７】
［第１実施形態］
図１は、本発明の第１実施形態に係る通信制御システムの構成を示すブロック図である。この通信制御システムは、モバイルIP及びSIPを用いるIMS/MMDのシステムである。図２は、図１に示す通信制御システムにおけるモバイルIP及びSIPの登録手順を示すシーケンスチャートである。なお、図１、図２において、図１０、図１１の各部に対応する部分のうち、特に変更のない部分には同一の符号を付している。
【００２８】
図１において、モバイルノード１０は、移動元の「Visited Network（２００）」から移動先の「Visited Network（１０１）」へハンドオーバする。「Visited Network（１０１）」は、FA１２及びP-CSCF１０６を有する。モバイルノード１０の「Home Network（１０３）」は、AAA１４、HA１０５、S-CSCF１７及びHSS１０８を有する。「Visited Network（１０１）」、「Visited Network（２００）」及び「Home Network（１０３）」は、ルータ２０１を介して接続される。なお、P-CSCF１０６は「Home Network（１０３）」に設けられる場合もある。
【００２９】
モバイルノード１０は、「Visited Network（１０１）」にハンドオーバすると、まず、「Visited Network（１０１）」のFA１２を介して、「Home Network（１０３）」のHA１０５にモバイルIPの登録を行う。
【００３０】
第１実施形態に係るモバイルIPの登録手順が、図２のステップＳ１１〜Ｓ１６ａに示されている。まず、モバイルノード１０は、モバイルIPの登録要求メッセージをFA１２に送信する（Ｓ１１）。FA１２は、そのモバイルIP登録要求メッセージを受信すると、RADIUSアクセス要求メッセージをAAA１４に送信する（Ｓ１２）。AAA１４は、そのRADIUSアクセス要求メッセージを受信すると、当該モバイルノードの認証を行い、認証成功ならばRADIUSアクセス受諾メッセージをFA１２に返信する（Ｓ１３ａ）。このとき、AAA１４は、当該モバイルノードの認証成功を示す認証情報をRADIUSアクセス受諾メッセージに付加する。
【００３１】
FA１２は、その認証情報付きのRADIUSアクセス受諾メッセージを受信すると、モバイルIP登録要求メッセージをHA１０５に送信する（Ｓ１４）。このとき、FA１２は、認証情報付きRADIUSアクセス受諾メッセージから認証情報を取り出して記録する。
【００３２】
HA１０５は、そのモバイルIP登録要求メッセージを受信すると、当該登録処理を行い、モバイルIP登録応答メッセージをFA１２に返信する（Ｓ１５）。FA１２は、そのモバイルIP登録応答メッセージを受信すると、当該応答メッセージをモバイルノード１０に送信する（Ｓ１６ａ）。このとき、FA１２は、ステップＳ１３ａで受信し記録した認証情報をモバイルIP登録応答メッセージに付加してモバイルノード１０に送信する。モバイルノード１０は、その認証情報付きのモバイルIP登録応答メッセージを受信すると、認証情報を取り出して記録する。この記録された認証情報は、次のSIP登録手順において利用される。
【００３３】
これにより、HA１０５に対して、モバイルノード１０に係るモバイルIPの登録が完了する。モバイルIPの登録が完了することで、図１に示される「Reverse Tunneling」と呼ばれるパケット転送動作が設定される。これ以降、モバイルノード１０から送信されるパケット及びモバイルノード１０宛てのパケットは、その設定された「Reverse Tunneling」によって転送される。具体的に説明すれば、モバイルノード１０から送信されたパケットは、一旦、「Home Network（１０３）」のHA１０５に転送されてから、宛先のノードへ送信される。同様に、モバイルノード１０宛てのパケットは、一旦、「Home Network（１０３）」のHA１０５に転送されてから、モバイルノード１０に送信される。
【００３４】
次いで、モバイルノード１０は、「Visited Network（１０１）」のP-CSCF１０６を介して、「Home Network（１０３）」のS-CSCF１７にSIPの登録を行う。
【００３５】
第１実施形態に係るSIPの登録手順が、図２のステップＳ２１ａ〜Ｓ２５，Ｓ４１，Ｓ３２〜Ｓ３６に示されている。まず、モバイルノード１０は、P-CSCF１０６経由のS-CSCF１７宛てのSIPの登録要求メッセージをFA１２を介して送信する（Ｓ２１ａ）。このとき、モバイルノード１０は、モバイルIP登録手順のステップＳ１６ａで受信し記録した認証情報をSIP登録要求メッセージに付加する。
【００３６】
その認証情報付きのSIP登録要求メッセージは、「Reverse Tunneling」によって、HA１０５経由でP-CSCF１０６に転送される（Ｓ２２）。P-CSCF１０６は、その転送されてきた認証情報付きSIP登録要求メッセージをS-CSCF１７に送信する（Ｓ２３）。S-CSCF１７は、その認証情報付きSIP登録要求メッセージを受信すると、当該要求メッセージの送信元モバイルノードについての端末情報をHSS１０８に要求する（Ｓ２４）。このとき、S-CSCF１７は、認証情報付きSIP登録要求メッセージから認証情報を取り出して記録する。
【００３７】
HSS１０８は、そのS-CSCF１７からの要求に応じて、当該モバイルノードの端末情報をS-CSCF１０７に返答する（Ｓ２５）。S-CSCF１７は、その端末情報を受け取ると、該端末情報を記録する。そして、S-CSCF１７は、ステップＳ２３で受信し記録した認証情報を確認する（Ｓ４１）。S-CSCF１７は、その確認結果、確かに当該モバイルノードの認証成功が当該認証情報に示されていたならば、当該モバイルノードに係る端末登録をHSS１０８に要求する（Ｓ３２）。HSS１０８は、その要求に応じて、端末登録を行い、端末登録応答メッセージをS-CSCF１７に返信する（Ｓ３３）。
【００３８】
S-CSCF１７は、その端末登録応答メッセージを受け取ると、モバイルノード１０宛てのSIP登録完了メッセージをP-CSCF１０６に送信する（Ｓ３４ａ）。このとき、S-CSCF１７は、以降のSIP手順で利用される当該モバイルノードに係る通信暗号化用の鍵をSIP登録完了メッセージに付加する。
【００３９】
P-CSCF１０６は、その鍵付きのSIP登録完了メッセージを受信すると、モバイルノード１０宛てに送信する（Ｓ３５）。その鍵付きSIP登録完了メッセージは、「Reverse Tunneling」によってHA１０５経由でFA１２に転送され（Ｓ３５）、FA１２からモバイルノード１０に送信される（Ｓ３６）。モバイルノード１０は、その鍵付きSIP登録完了メッセージを受信すると、鍵を取り出して記録する。この記録された鍵は、これ以降の通信の暗号化に利用される。
【００４０】
これにより、S-CSCF１７に対して、モバイルノード１０に係るSIP登録が完了する。これ以降、モバイルノード１０は、「Visited Network」で通信を行うことができる。
【００４１】
図３は、本発明の第１実施形態に係るモバイルノード１０の構成を示すブロック図である。図３において、モバイルノード１０は、無線通信部２１とモバイルIP処理部２２とSIP処理部２３と認証情報記憶部２４を有する。モバイルIP処理部２２は、モバイルIP登録処理等のモバイルIPに係る処理を行う。SIP処理部２３は、SIP登録処理等のSIPに係る処理を行う。認証情報記憶部２４は、自モバイルノードの認証情報を記憶する。
【００４２】
モバイルIP処理部２２は、モバイルIP登録過程において、無線通信部２１を介して認証情報付きモバイルIP登録応答メッセージを受信すると、その認証情報付きモバイルIP登録応答メッセージから認証情報を取り出し、取り出した認証情報を認証情報記憶部２４に記憶させる。
【００４３】
SIP処理部２３は、モバイルIP登録の完了後に、SIP登録処理を開始する。SIP処理部２３は、SIP登録要求メッセージの送信過程において、認証情報記憶部２４から認証情報を読み出し、読み出した認証情報をSIP登録要求メッセージに付加し、認証情報付きのSIP登録要求メッセージを無線通信部２１を介して送信する。
【００４４】
また、SIP処理部２３は、無線通信部２１を介して鍵付きSIP登録完了メッセージを受信すると、その鍵付きSIP登録完了メッセージから鍵を取り出し、取り出した鍵を保持する。SIP処理部２３は、その保持した鍵を以降の通信の暗号化に用いる。
【００４５】
上述の第１実施形態によれば、モバイルIP登録時におけるモバイルノードの認証情報がSIP登録時に利用される。これにより、モバイルノードの認証は、モバイルIP登録時の一回で済むので、モバイルノードの認証にかかる処理時間が短縮される。さらに、SIP登録時におけるモバイルノードに係るチャレンジレスポンス認証のために行われていた「Reverse Tunneling」による「Home Network」を経由する通信が行われないので、通信時間の短縮を図ることができる。
【００４６】
なお、モバイルIP登録時におけるモバイルノードの認証情報としては、AAAが発行するAAAの署名入りの認証証明書であってもよく、或いは、単に特定のモバイルノードの認証成功を示す簡易な情報（例えば、モバイルノードの識別子と認証成功を示すフラグの組）であってもよい。例えば、FA１２が、AAA１４から認証成功の通知を受け取って、認証成功したモバイルノードの識別子と認証成功を示すフラグの組を作成してもよい。この場合には、FA１２が認証情報作成手段として機能する。
【００４７】
また、上述の第１実施形態では、FA１２がステップＳ１３ａで受信したモバイルノードの認証情報を記録し、該記録した認証情報をステップＳ１６ａで送信するモバイルIP登録応答メッセージに付加したが、モバイルノードの認証情報が当該モバイルノードに伝達されればよい。例えば、FA１２がステップＳ１３ａで受信したモバイルノードの認証情報をステップＳ１４で送信するモバイルIP登録要求メッセージに付加し、HA１０５がモバイルIP登録要求メッセージに付加された認証情報をモバイルIP登録応答メッセージに付加し、その認証情報付きモバイルIP登録応答メッセージがモバイルノードに転送されるものであってもよい。
【００４８】
［第２実施形態］
図４は、本発明の第２実施形態に係る通信制御システムの構成を示すブロック図である。この通信制御システムは、第１実施形態と同様に、モバイルIP及びSIPを用いるIMS/MMDのシステムである。図５は、図４に示す通信制御システムにおけるモバイルIP及びSIPの登録手順を示すシーケンスチャートである。なお、図４、図５において、図１、図２の各部に対応する部分には同一の符号を付け、その説明を省略する。
【００４９】
図４において、図１に示す第１実施形態からの変更点は、モバイルノード１０ａとFA１２ａである。この変更点について、図５を参照して説明する。まず、モバイルノード１０ａは、モバイルIPの登録要求メッセージをFA１２ａに送信する（Ｓ１１ａ）。このとき、モバイルノード１０ａは、SIP登録要求メッセージをモバイルIP登録要求メッセージに付加する。
【００５０】
FA１２ａは、そのSIP登録要求メッセージ付きのモバイルIP登録要求メッセージを受信すると、RADIUSアクセス要求メッセージをAAA１４に送信する（Ｓ１２）。このとき、FA１２ａは、SIP登録要求メッセージ付きのモバイルIP登録要求メッセージからSIP登録要求メッセージを取り出して記録する。
【００５１】
次いで、FA１２ａは、AAA１４からの認証情報付きRADIUSアクセス受諾メッセージを受信すると（Ｓ１３ａ）、モバイルIP登録要求メッセージをHA１０５に送信し（Ｓ１４）、認証情報付きRADIUSアクセス受諾メッセージから認証情報を取り出して記録する。この記録された認証情報は、次のSIP登録手順において利用される。
【００５２】
次いで、FA１２ａは、AAA１４からのモバイルIP登録応答メッセージを受信すると、当該応答メッセージをモバイルノード１０ａに送信する（Ｓ１６）。これにより、HA１０５に対して、モバイルノード１０ａに係るモバイルIPの登録が完了する。
【００５３】
次いで、FA１２ａは、ステップＳ１１ａで受信し記録したSIP登録要求メッセージをP-CSCF１０６経由のS-CSCF１７宛てに送信する（Ｓ２２ａ）。このとき、FA１２ａは、ステップＳ１３ａで受信し記録した認証情報をSIP登録要求メッセージに付加する。その認証情報付きのSIP登録要求メッセージは、「Reverse Tunneling」によって、HA１０５経由でP-CSCF１０６に転送される（Ｓ２２ａ）。P-CSCF１０６は、その転送されてきた認証情報付きSIP登録要求メッセージをS-CSCF１７に送信する（Ｓ２３）。これ以降の手順（ステップＳ２４，Ｓ２５，Ｓ４１，Ｓ３２〜Ｓ３６は、図２に示す第１実施形態と同じである。
【００５４】
図６は、本発明の第２実施形態に係るモバイルノード１０ａの構成を示すブロック図である。図６に示すモバイルノード１０ａは、図３のモバイルノード１０と同様の構成であるが、認証情報記憶部２４を有していない。
【００５５】
図６において、モバイルIP処理部２２ａは、モバイルIP登録処理を開始すると、モバイルIP登録を行う旨の通知３１をSIP処理部２３ａに出力する。SIP処理部２３ａは、その通知３１を受信すると、SIP登録要求メッセージ３２をモバイルIP処理部２２ａに出力する。モバイルIP処理部２２ａは、そのSIP登録要求メッセージ３２を受け取ると、モバイルIP登録要求メッセージに付加し、SIP登録要求メッセージ付きのモバイルIP登録要求メッセージを無線通信部２１を介して送信する。なお、SIP登録要求メッセージは、例えば、モバイルIP登録要求メッセージの拡張領域に格納すればよい。
【００５６】
上述の第２実施形態によれば、第１実施形態と同様に、モバイルノードの認証にかかる処理時間の短縮、及び、通信時間の短縮を図ることができる。さらに、第２実施形態によれば、モバイルノードから発信するモバイルIP登録要求メッセージにSIP登録要求メッセージを相乗りさせ、FAが、そのSIP登録要求メッセージ付きのモバイルIP登録要求メッセージからSIP登録要求メッセージを分離し、モバイルIP登録完了後にSIP登録要求を行う。これにより、モバイルノードに係る通信手順が簡略化されるので、モバイルIPとSIPの登録に要する時間をさらに短縮することができる。
【００５７】
［第３実施形態］
図７は、本発明の第３実施形態に係る通信制御システムの構成を示すブロック図である。この通信制御システムは、シンプルIP及びSIPを用いるIMS/MMDのシステムである。図８は、図７に示す通信制御システムにおけるシンプルIP及びSIPの登録手順を示すシーケンスチャートである。なお、図７、図８において、図１、図２の各部に対応する部分には同一の符号を付け、その説明を省略する。
【００５８】
図７において、「Visited Network（１０１）」には、PDSN（Packet Data Serving Node）４１が設けられている。図８において、モバイルノード１０ｂは、シンプルIP登録時に、PDSN４１との間でPPP（Point to Point Protocol）コネクションを確立する（Ｓ５１，Ｓ５２）。このとき、PDSN４１は、当該モバイルノード１０ｂの認証をAAA１４に要求する（Ｓ１２）。AAA１４は、その要求に応じて、当該モバイルノードの認証を行い、認証成功時には当該モバイルノードの認証情報を付加した応答メッセージをPDSN４１に返信する（Ｓ１３ａ）。PDSN４１は、AAA１４から送られてきた認証情報をモバイルノード１０ｂに送信する（Ｓ５３）。モバイルノード１０ｂは、PDSN４１から送られてきた認証情報を記録する。この記録された認証情報は、次のSIP登録手順において利用される。なお、SIP登録手順（Ｓ２１ａ〜Ｓ３６）は、図２の第１実施形態と同じである。
【００５９】
図９は、本発明の第３実施形態に係るモバイルノード１０ｂの構成を示すブロック図である。図９において、モバイルノード１０ｂは、無線通信部２１とPPP処理部５１とシンプルIP処理部５２とSIP処理部２３と認証情報記憶部２４を有する。PPP処理部５１は、PPPコネクション確立等のPPPに係る処理を行う。シンプルIP処理部５２は、シンプルIP登録処理等のシンプルIPに係る処理を行う。SIP処理部２３は、SIP登録処理等のSIPに係る処理を行う。認証情報記憶部２４は、自モバイルノードの認証情報を記憶する。
【００６０】
PPP処理部５１は、シンプルIP登録過程において、無線通信部２１を介して、PDSN４１との間でPPPコネクションを確立する。シンプルIP処理部５２は、シンプルIP登録過程におけるPPPコネクション確立過程において、無線通信部２１を介して認証情報付き応答メッセージを受信すると、その認証情報付き応答メッセージから認証情報を取り出し、取り出した認証情報を認証情報記憶部２４に記憶させる。
【００６１】
SIP処理部２３は、シンプルIP登録の完了後に、SIP登録処理を開始する。SIP処理部２３は、SIP登録要求メッセージの送信時において、認証情報記憶部２４から認証情報を読み出し、読み出した認証情報をSIP登録要求メッセージに付加し、認証情報付きのSIP登録要求メッセージを無線通信部２１を介して送信する。
【００６２】
また、SIP処理部２３は、無線通信部２１を介して鍵付きSIP登録完了メッセージを受信すると、その鍵付きSIP登録完了メッセージから鍵を取り出し、取り出した鍵を保持する。SIP処理部２３は、その保持した鍵を以降の通信の暗号化に用いる。
【００６３】
上述の第３実施形態によれば、シンプルIP登録時におけるモバイルノードの認証情報がSIP登録時に利用される。これにより、モバイルノードの認証は、シンプルIP登録時の一回で済むので、モバイルノードの認証にかかる処理時間が短縮される。さらに、SIP登録時におけるモバイルノードに係るチャレンジレスポンス認証のために行われていた通信が行われないので、通信時間の短縮を図ることができる。
【００６４】
なお、第３実施形態において、モバイルノードの認証情報については、上述のようにAAA１４が作成してもよく、或いは、PDSN４１がAAA１４から認証成功の通知を受け取ってモバイルノードの認証成功を示す認証情報を作成してもよい。この場合には、PDSN４１が認証情報作成手段として機能する。
【００６５】
以上説明したように、本発明に係る実施形態によれば、モバイルIP又はシンプルIPとSIPの登録に要する時間を短縮することができる。これにより、例えばモバイルノードが「Visited Network」への初期接続時に通信を開始するまでの時間や、ハンドオーバ時における通信の遮断時間を短縮することが可能になり、通信サービス品質の向上に寄与することができる。
【００６６】
なお、図２、図５又は図８に示す各ステップを実現するためのプログラムをコンピュータ読み取り可能な記録媒体に記録して、この記録媒体に記録されたプログラムをコンピュータシステムに読み込ませ、実行することにより、通信制御処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００６８】
以上、本発明の実施形態を図面を参照して詳述してきたが、具体的な構成はこの実施形態に限られるものではなく、本発明の要旨を逸脱しない範囲の設計変更等も含まれる。
例えば、上述の実施形態では、モバイルノード（移動通信端末）として無線回線を利用する無線通信端末を例に挙げたが、モバイルノードは無線通信端末に限定されず、有線回線を利用する通信端末であってもよい。
【００６９】
また、上述の実施形態では、IMS/MMDを例に挙げたが、モバイルIP又はシンプルIPとSIPとを併用する通信制御システムに対して同様に適用することができる。なお、上述の実施形態で用いた構成要素（P-CSCF、S-CSCF等）は、IMS/MMDで用いられているものであり、一般のSIPを用いる通信制御システムでは別の名称であったり、或いは、具備されないものもあり得る。
【図面の簡単な説明】
【００７０】
【図１】本発明の第１実施形態に係る通信制御システムの構成を示すブロック図である。
【図２】図１に示す通信制御システムにおけるモバイルIP及びSIPの登録手順を示すシーケンスチャートである。
【図３】本発明の第１実施形態に係るモバイルノード１０の構成を示すブロック図である。
【図４】本発明の第２実施形態に係る通信制御システムの構成を示すブロック図である。
【図５】図４に示す通信制御システムにおけるモバイルIP及びSIPの登録手順を示すシーケンスチャートである。
【図６】本発明の第２実施形態に係るモバイルノード１０ａの構成を示すブロック図である。
【図７】本発明の第３実施形態に係る通信制御システムの構成を示すブロック図である。
【図８】図７に示す通信制御システムにおけるシンプルIP及びSIPの登録手順を示すシーケンスチャートである。
【図９】本発明の第３実施形態に係るモバイルノード１０ｂの構成を示すブロック図である。
【図１０】IMS/MMDにおける従来のモバイルIP及びSIPの登録構成を説明するための構成図である。
【図１１】IMS/MMDにおける従来のモバイルIP及びSIPの登録構成を説明するためのシーケンスチャートである。
【符号の説明】
【００７１】
１０，１０ａ，１０ｂ…モバイルノード（移動通信端末）、１２，１２ａ…FA（認証情報送信手段、SIP登録要求メッセージ記録手段、SIP登録要求メッセージ送信手段）、１４…AAA（認証手段、認証情報作成手段）、１７…S-CSCF（認証情報確認手段、鍵付加手段）、２２，２２ａ…モバイルIP処理部、２３，２３ａ…SIP処理部、２４…認証情報記憶部、４１…PDSN（認証情報送信手段）、５１…PPP処理部、５２…シンプルIP処理部
【図１】
2008172460.tif 000003
【図２】
2008172460.tif 000004
【図３】
2008172460.tif 000005
【図４】
2008172460.tif 000006
【図５】
2008172460.tif 000007
【図６】
2008172460.tif 000008
【図７】
2008172460.tif 000009
【図８】
2008172460.tif 000010
【図９】
2008172460.tif 000011
【図１０】
2008172460.tif 000012
【図１１】
2008172460.tif 000013